(57)【要約】【課題】床吹出し空調システムにおいて、好ましい高さの居住域空調を維持し、かつ、床吹出口から吹出した空気が周囲の人に当たらないようにしながら、１つ当りの吹出口からの空気の流量を従来よりも大きくすることが可能な、吹出口具を提供すること。【解決手段】空気供給用開口Ｂを塞ぐ板状部Ａに、板厚方向に貫通する吹出孔２、３を、板状部の板面をみたときに放射状をなす配置パターンとして設け、吹出口具とする。このとき、中央側の吹出孔３から吹出される空気流ｅ２が、外側の吹出孔２から吹出される空気流ｅ１の方に向かい該空気流ｅ１に衝突するように、中央側の吹出孔３が、外側の吹出孔２よりも、鉛直方向からより大きな角度を開いた方向へ空気を吹出すように形成する。【選択図】図１
2005114211.tif 000002
【特許請求の範囲】
【請求項１】
床吹出し空調システムにおける空気供給用開口に装着される吹出口具であって、
空気供給用開口を塞ぐ板状部を有し、該板状部には板厚方向に貫通する吹出孔が設けられ、
該吹出孔は、板状部の板面に放射状をなす配置パターンとして設けられ、かつ、該配置パターンの中央側の吹出孔から吹出される空気流が外側の吹出孔から吹出される空気流の方に向かい該外側の空気流に衝突するように、中央側の吹出孔が、外側の吹出孔よりも鉛直方向からより大きな角度だけ倒れた方向へ空気を吹出すように形成されていることを特徴とする、吹出口具。
【請求項２】
上記配置パターンの外側の吹出孔が、旋回流を発生させ得るように、該配置パターンの中心と該吹出孔の中心とを結ぶ直線が含まれる鉛直面から、角度θ１だけ倒れる方向に空気を吹出す孔として形成されている、請求項１記載の吹出口具。
【請求項３】
角度θ１が、１５度〜２１度である、請求項２記載の吹出口具。
【請求項４】
上記配置パターンの中央側の吹出孔が、外側の吹出孔と同じ旋回方向の旋回流を発生させ得るように、上記鉛直面から角度θ２だけ倒れる方向に空気を吹出す孔として形成されており、角度θ２が、上記角度θ１に対してθ１＜θ２となるように選択されている、請求項２または３記載の吹出口具。
【請求項５】
角度θ２が、１８度〜３０度である、請求項４記載の吹出口具。
【請求項６】
上記配置パターンに外接する円の直径が、１８０ｍｍ〜３００ｍｍである、請求項１記載の吹出口具。
【発明の詳細な説明】
【技術分野】
【０００１】
本発明は、床吹出し空調における室内への空気の供給口として、床の開口部に配置される吹出口具に関するものである。
【背景技術】
【０００２】
室内空調の１つとして床吹出し空調が知られている。床吹出し空調は、空調本体装置によって温度・湿度などを調整された空気（以下、調整空気）を、床に設けた吹出口から室内へ吹き出すシステムとして構成される。床吹出し空調を行うには、床下に空間（ＯＡ機器の配線等を通すための空間であってもよい）を設けた二重床構造を採用し、この床下空間を供給空気の流路として利用する態様が挙げられる。
【０００３】
床吹出し空調システムにおける床吹出口は、床に設けられた空気供給用開口に吹出口具を装着した態様として構成される。この吹出口具は、空気供給用開口が人の歩行の障害にならないように該開口を覆い、また一種のノズルとして空気の吹出方向や流量等を調整するためのものである（例えば、特許文献１、２）。
【０００４】
床吹出し空調には、次の（あ）〜（え）の利点がある。
（あ）床面から給気するので、冷風吹出しの場合には、居住域（室内空間のうち、床面から例えば１７０ｃｍ程度までの空間）だけの空調を行うことができる。床吹出口から供給される低温の空気は、居住域で居住域空気と混合均一化して居住域温度となり、該居住域でワーカーやＯＡ機器等から熱を吸収して高温となった空気は、非居住域（居住域よりも上の空間）に上昇し高温層となって温度成層をつくり、これによって居住域空調が実現される。これに対して天井吹出し空調では、冷却無用な天井付近の空間を最初に横切って冷風を吹出すので、非居住域をも必然的に冷却してしまうことになる。
【０００５】
（い）オフィスの小間仕切りや机、棚などレイアウトに応じて、床吹出口の配置を自在に替えられるので、フレキシブルな空調が可能である。さらにオフィスで多用されるパテションを設けた空間は、半密閉化されて温熱環境がこれまで以上に悪くなるが、本方式では必要に応じて自在な場所に床吹出口を設けて調整空気を給気することが可能であり、パテションとＯＡ機器等を多用する機能的なオフィスに最適である。
【０００６】
（う）人やＯＡ機器などに個別に調整空気を供給できるので、各人への個別の空調が行える。また、放熱するＯＡ機器等が、天井吹出し方式の空調では気流の届かない机下等に置かれていても、これらを直接的に冷却することができる。
【０００７】
（え）居住域は、上下温度差が快適範囲に制御され、床吹出口近傍の極一部を除いて気流速度が非常に小さい空間となり、さらに粉塵濃度が低く、室内でＯＡ機器等からの放熱の影響が小さい空間となる。
【特許文献１】実公平７−３７０８７号公報
【特許文献２】特開平１０−３０６９４２号公報
【発明の開示】
【発明が解決しようとする課題】
【０００８】
しかしながら、床吹出し空調には、次の（ア）、（イ）の問題点があり、後述のように、これら問題点を同時に解消することは困難である。
（ア）床吹出し空調では、上記（あ）の利点が過度に作用する場合には、部屋の下部だけを冷却することになるので、逆に、室内（特に居住域の内部）に必要以上の温度差が生じ、不快感を与える場合がある。天井吹出し・床吹出しを問わず、一般的には、オフィスの居住域での快適な温熱環境を得るためには、床上１０ｃｍ付近の空間と、居住域上部である１７０ｃｍ付近の空間との温度差は、例えば３℃以内等、特定の温度以内であることが好ましいとされている。
（イ）床吹出し空調では、床吹出口が人に近い位置にあるため、吹出し角度を広角度にすると、吹出し気流が周囲の人に直接当たり、不快感を与える場合がある。よって、床吹出口からの気流は、一定以上には広角度にしない方がよい。
【０００９】
上記（ア）の問題点は、調整空気の循環量をより多くすることによって解決可能であるが、そのために、空調機循環空気量が大きくなり不経済となる。また、床吹出口の大口径化などによって床吹出口１つ当たりの流量を単純に大きくすると、吹出空気は必要以上（居住域高さ以上）の高さまで到達することになり、床吹出し空調方式の特徴である適正な高さでの居住域空調の達成が難しくなる。
また、床吹出口を大口径化しながら、空気を必要以上の高さまで到達させないように、吹出し角度（鉛直方向から旋回流を発生させる方向へと吹出方向を倒す角度）を広角に設定すると、吹出し空気が広がって周囲の人に直接当たり、上記（イ）の問題が生じる。
また、床吹出口１つ当たりの流量をそのままにして、床吹出口の個数を多く取ることによっても全体の流量を大きくすることが可能であるが、実際には、床吹出し口の配置上の制約（オフィスレイアウト面での制約）があるために、床吹出口を多数設けることは困難であり、また床吹出口の個数を多く取るとコスト高になるという問題もある。
【００１０】
本発明の目的は、床吹出し空調システムにおいて、好ましい高さの居住域空調を維持し、かつ、床吹出口から吹出した空気が周囲の人に当たらないようにしながら、１つ当りの吹出口からの空気の流量を従来よりも大きくすることが可能な、吹出口具を提供することである。
【課題を解決するための手段】
【００１１】
本発明は、次の特徴を有するものである。
（１）床吹出し空調システムにおける空気供給用開口に装着される吹出口具であって、
空気供給用開口を塞ぐ板状部を有し、該板状部には板厚方向に貫通する吹出孔が設けられ、該吹出孔は、板状部の板面に放射状をなす配置パターンとして設けられ、かつ、該配置パターンの中央側の吹出孔から吹出される空気流が外側の吹出孔から吹出される空気流の方に向かい該外側の空気流に衝突するように、中央側の吹出孔が、外側の吹出孔よりも鉛直方向からより大きな角度だけ倒れた方向へ空気を吹出すように形成されていることを特徴とする、吹出口具。
【００１２】
（２）上記配置パターンの外側の吹出孔が、旋回流を発生させ得るように、該配置パターンの中心と該吹出孔の中心とを結ぶ直線が含まれる鉛直面から、角度θ１だけ倒れる方向に空気を吹出す孔として形成されている、上記（１）記載の吹出口具。
【００１３】
（３）角度θ１が、１５度〜２１度である、上記（２）記載の吹出口具。
【００１４】
（４）上記配置パターンの中央側の吹出孔が、外側の吹出孔と同じ旋回方向の旋回流を発生させ得るように、上記鉛直面から角度θ２だけ倒れる方向に空気を吹出す孔として形成されており、角度θ２が、上記角度θ１に対してθ１＜θ２となるように選択されている、上記（２）または（３）記載の吹出口具。
【００１５】
（５）角度θ２が、１８度〜３０度である、上記（４）記載の吹出口具。
【００１６】
（６）上記配置パターンに外接する円の直径が、１８０ｍｍ〜３００ｍｍである、上記（１）記載の吹出口具。
【発明の効果】
【００１７】
本発明による吹出口具は、中央側の吹出孔から吹出される空気流（以下「内側気流」とも呼ぶ）が、外側の吹出孔から吹出される空気流（以下「外側気流」とも呼ぶ）に衝突するように、中央側の吹出孔の吹出角度（鉛直線から開いた角度）が、外側の吹出孔の吹出角度よりも大きいという特徴を有しており、これによって次の作用効果が得られる。
即ち、内側気流をより低い位置で衝突させることによって外側気流を減速させる構成であるために、気流の到達高さを抑制する目的で吹出し角度を過度に広角に開く必要がなくなる。即ち、周囲の空気との混合性や、周囲への影響のみを考慮して、最適な旋回流を発生させるためだけに、外側気流の吹出し角度や流量を決定することができる。内側気流を中心にして言うと、内側気流は従来のものよりも広角に開いているが、外側気流が壁となって、全体の気流としては外側に開くことが抑制され、気流が周囲の人に直接当たることが抑制される。
また、当該吹出口具の板面における吹出孔の配置パターンを、従来よりも大面積のパターンとし（即ち、配置パターンに外接する円の面積を従来よりも大きくし）、吹出口具１つ当りの吹出孔の開口面積総和を増加させることによって大流量化を図っても、上記作用効果は同様に得られる。
【００１８】
従って、当該吹出口具は、従来の吹出口具よりも大口径化し大流量化しても、気流は外側に開くことがなく、しかも必要以上の高さまで到達することは抑制され、上下温度差を小さくした好ましい居住域空調が達成される。
また、より好ましい態様として、吹出角度を選択し、外側気流さらには内側気流を旋回流とすることによって、外側気流を広がりのない最適な旋回流とすることもでき、周囲の居住域空気との混合性にも優れた気流特性が得られ、しかも必要以上の高さまで到達することは抑制される。
【発明を実施するための最良の形態】
【００１９】
以下、本発明の最良の形態について説明する。
図１は、当該吹出口具の構成の一例を模式的に示した断面図である。同図に示すように、当該吹出口具Ａは、床吹出し空調システムにおける空気供給用開口Ｂに装着されるものである。当該吹出口具は、例えばマンホールの蓋のように、空気供給用開口を塞ぐ単独の板状部材であることが好ましい態様であるが、外周形状に限定はなく、より大面積の床材の一部として一体形成されたものであってもよく、また、空気供給用開口に装着される筒状のケース（例えば、特許文献２に記載されたもの）と一体形成されたものであってもよい。いずれの態様であっても、当該吹出口具は空気供給用開口を塞ぐ板状部を有する。
以下、板状部を、円板状の板状部材とした例を用いて本発明を説明するが、これに限定されるものではない。
【００２０】
図１に示すように、当該吹出口具Ａは、空気供給用開口Ｂを塞ぐ板状部１を有し、該板状部１には板厚方向に貫通する吹出孔２、２１、３、３１が設けられている。これら吹出孔は、板状部材の板面に放射状をなす配置パターンにて設けられる。この「放射状をなす配置パターン」については後により詳しく説明する。図１に示すように、この配置パターンの中央側の吹出孔（以下「内側孔」とも呼ぶ）３、３１から吹出される内側気流ｅ２が、外周側の吹出孔（以下「外側孔」とも呼ぶ）２から吹出される外側気流ｅ２の方に向かい、該外側気流ｅ１に衝突するように、該内側孔３は、外側孔２よりも、鉛直方向からより大きな角度を開いた方向へ空気を吹出すように形成されている。このように内側孔と外側孔とを組合わせた構成によって、上記作用効果が得られ、本発明の目的が達成される。
【００２１】
本発明における「放射状をなす配置パターン」とは、外側気流と内側気流とによる本発明の作用効果を示すように、中央側と外周側とに吹出孔を配置したパターンの総称である。放射状をなす配置パターンは、例えば、図２（ａ）、（ｂ）のように、文字通りの「放射状」と認識し得る配置パターンだけでなく、２重、３重の同心円状、渦巻き状の配置パターン、その他、中央側と外周側とに吹出孔を配置したあらゆるパターンであってよい。
各吹出孔は、配置の中心部から外側に至るまで、必ずしも同一線上に整列している必要はない。また、図２（ｃ）のように、大小種々の口径の吹出孔がランダムに配置され、見た目の図形としては「放射状」として認識し難い配置パターンであっても、集合した吹出孔のうち中央側の孔と外周側の孔とが、本発明の作用効果を達成し得るように互いに吹出し角度を異にして形成されており、その作用効果上の中心が存在するならば、本発明でいう放射状をなす配置パターンに属する。
【００２２】
板状部に設けられる吹出孔は、必ずしも外側孔と内側孔のどちらかに分類される必要はなく、どちらにも属さない孔が存在してもよい。
配置パターンの中心と、板状部の中心とは、互いに一致するのが好ましいが、施工や取り扱い状など、種々の目的に応じて、板状部の外形、配置パターンの外形、互いの位置関係は、任意にデザインしてよく、両者の中心が一致しなくてもよい。
【００２３】
外側孔、内側孔のそれぞれの開口形状は、特に限定されず、円形、楕円形、方形、異形など、吹出孔の出口としてロスが少ない形状が好ましい。
外側孔と内側孔とは、図１や図２（ｂ）に示すように、互いに別個の孔として形成されてもよいが、図２（ａ）に孔４として例示するように、中央側から外側に至るまで延びた長穴として、外側孔と内側孔とが互いに合体、連通したものであってもよい。図２（ａ）の例では、個々の長穴は中央側から外側に延びる帯状の長方形であって、穴の幅は一定であるが、中央側から外側に向かうに従って穴の幅が広がっていく扇形であってもよい。また、図２（ａ）に示した開口パターンは、互いに中央部でつながって、全体として１つの孔となっていてもよい。
【００２４】
吹出孔が、中央側から外側に至るまで延びた長穴である場合、後述するように、１つの吹出孔における中央側と外側とで、吹出角度が異なるように孔の内部構造を変化させればよい。
図３は、中央側に同心円状の吹出孔５を配置し、外側に放射状に延びる長穴の吹出孔６を配置したパターンの一例である。この場合、長穴の吹出孔６は、外側孔として作用するように形成するだけでなく、前記のように、その長穴の中央側の吹出し角度を変えて、部分的に内側孔として作用させてもよい。
【００２５】
外側孔は、鉛直上方に向けて空気を吹出す単純な孔であってもよいが、上記特許文献１の吹出口具のように、旋回流を発生させ得る特定の吹出角度を有する孔として形成することが好ましい。
旋回流は、螺旋状（竜巻状、渦巻き状）に捩じれながら進行する気流であって、周囲の空気をより多く巻き込むことが可能であり、床吹出し空調には好ましい気流である。旋回流は、例えば、図４の外側気流ｅ１のように、配置パターンの中心Ｐと、吹出孔２の中心とを結ぶ直線が含まれる鉛直面Ｖ１から、角度θ１だけ開いた方向に吹出す気流を、中心Ｐを取り囲むように複数形成することによって形成することができる。旋回の方向は、進行方向に向かって時計回り、反時計回りのいずれであってもよい。
旋回流を発生させる外側気流ｅ１の吹出し方向は、図４に示すように、鉛直面Ｖ１と直角に交差する鉛直面Ｖ２内に含まれる方向が好ましいが、用途に応じて、より外側方向など、鉛直面Ｖ２に含まれない方向を向いていてもよい。
【００２６】
外側気流を旋回流とする場合、吹出角度θ１は、周囲の居住域空気を十分に誘引し攪拌するような角度に設定することが望ましく、また、吹出される空気が居住域高さ（例えば、床面から１７０ｃｍをやや越える程度の高さ）まで達し、しかも、周囲の人に当たらないよう過度に広角度に設定することは避けることが好ましい。
このような旋回流を発生させるための外側孔の吹出し角度θ１としては、１５度〜２１度、特に１７度〜１９度が好ましい角度である。
【００２７】
内側孔は、内側気流が上記のように設定した外側気流の方へ向かって行き、該外側気流に衝突してこれを減速させるように、外側孔よりも鉛直方向からより大きな角度を開いた方向へ空気を吹出すように形成されていればよい。
内側気流は、外側気流の進行を妨害するという点では、渦巻くことなく単純に外側上方に向かって広がり外側気流に当たる気流であってもよく、また、外側気流とは逆方向に旋回しながら広がる気流であってもよい。
内側気流を単純にすり鉢状に広がるように吹出す気流とした場合、筒状の外側気流の内壁側に、内側気流によって面状の空気流カーテンが生じ、上方から中央部に侵入した室内空気が内側から外側気流に入るというルートが断たれる。結果として、吹出気流は、外側周囲の空気だけを巻き込みながら上昇することになり、吹出し噴流全体の形状がハート形のように平べったく横方向に広がった形状になってしまう。
このような現象を抑制する点からは、内側気流を、外側気流と同じ方向に旋回させて室内空気を内側でも巻き込ませながら、外側気流よりも広がる気流とすることが好ましい。内側気流を旋回流とするには、外側気流の場合と同様、図４に内側気流ｅ２として示すように、配置パターンの中心Ｐと、吹出孔３の中心とを結ぶ直線が含まれる鉛直面Ｖ１から、角度θ２だけ開いた方向に吹出す気流を、中心Ｐを取り囲むように複数形成すればよい。この場合の内側気流ｅ２の吹出し方向は、外側気流の場合と同様、鉛直面Ｖ１と直角に交差する鉛直面Ｖ３内に含まれる方向が好ましいが、より外側方向など、鉛直面Ｖ２に含まれない方向を向いていてもよい。
【００２８】
内側気流を旋回流とする場合の吹出角度θ２は、内側気流が外側気流に好ましく衝突するようにθ１＜θ２として選択すればよいが、上記のθ１の範囲（１５度〜２１度、特に１７度〜１９度）に対して、θ２は、１８度〜３０度、特に１９度〜２１度が好ましい角度である。
上記作用効果を得るには、θ１とθ２との角度の差が、１度〜１２度となるように、両者を選択することが好ましい。
θ１とθ２の好ましい角度の組合わせは、吹出口の配置パターンの大きさによっても異なる。例えば、吹出口の配置パターンに外接する円の直径が２１０ｍｍ〜２４０ｍｍ程度の場合には〔θ１＝１８度、θ２＝２０度〕とする組合わせ、外接する円の直径が２４０ｍｍ〜２６０ｍｍ程度の場合には、〔θ１＝１８度、θ２＝２２〜２５度〕とする組合わせが好ましい。
外側孔と内側孔のそれぞれの開口面積の比率をさらに変えることによって、それぞれの吹出角度を、例えば、（θ１＝１４度、θ２＝１６度）や（θ１＝２２度、θ２＝３１度）など、上記範囲外の値に変化させてもよい。
【００２９】
吹出し角度とは、吹出孔から吹出される気流の主傾斜角度を意味する。吹出孔の断面形状が平行であって、その中心軸の方向と吹出し方向とが一致している場合には、吹出孔の中心軸の方向をもって吹出し角度としてもよい。また、吹出孔の断面形状が複雑な場合には、煙を混ぜることによって吹出気流を可視化し、吹出し角度を測定する等、吹出気流の主方向を測定可能な公知の手法を用いてよい。
【００３０】
上記吹出し角度を達成するための吹出孔の例を図５に示す。同図の吹出孔は、図３の放射状孔の局部的なＸ−Ｘ断面矢視図として描いている。図５（ａ）の例は、孔内の流路に勾配やテーパーを設けないストレートな断面形状の孔の例、図５（ｂ）、（ｃ）の例は、吹出し孔の形成角度と吹出し角度とが異なっており、孔内部の出口付近および／または内部に吹出し主気流を目的の角度となるように流路を変化させた孔の例である。目的の吹出し角度を達成するための個々の吹出孔の内部構造・断面形状自体については、公知技術を参照してもよい。
【００３１】
また、図５（ｄ）に示すように、吹出孔の床下側などの孔外にガイドベーンなどを設けて吹出し角度を変化させてもよい。このような態様は、直線状や環状の長穴の場合に有効である。例えば、図３の例において、中央部に環状に形成した吹出孔の場合、該環状の吹出孔の床下側外部に旋回を生じさせるように角度をつけたガイドベーン（気流の方向を変化させるための羽根・フラップ）を設けてもよい。このようなガイドベーンは、環状の吹出孔を横切るように、当該吹出口具の裏面に放射状の羽根を固定した構造であってもよいし、その羽根の角度を調整可能とした構造であってもよい。
【００３２】
図６は、羽根の角度を調整可能としたガイドベーンを吹出口具の裏面に取り付けた場合の構造の一例を示している。同図の５ａ〜５ｃは、図３の吹出口具の中央に設けられた環状の吹出孔の断面である。吹出口具Ａの中央部分Ｐの下面には、ガイドベーンの個々の羽根ｇ２が放射状に接続された角度変更装置ｇ１が固定されており、下部の調整用つまみｇ３によって、周囲の全ての羽根ｇ２の傾きを同時に矢印の方向に回転させることが可能な構造となっている。羽根が傾くことによって、内側気流ｅ２の方向は、例えば紙面に対して裏面側へと傾く方向に変化し、同図を上面からみた時に反時計周りに渦巻く旋回流を形成する。
【００３３】
図７は、吹出孔を中央部から外側部まで延びる長穴（内側孔と外側孔とが一体となったもの）において、吹出し角度を中央部と外周側とで変える場合の構造の一例を示す斜視図である。同図に示すように、長穴の中間部分ｍを境として吹出し角度を変え、θ１＜θ２としている。中間部分ｍは、長穴の全長の半分の位置である必要はなく、当該吹出孔具全体としての外側孔・内側孔の流量のバランスを考慮して決定してよい。
図７の例では、中間部分ｍにおいて中央部と外周側との孔内壁面は不連続に変化しているが、多段階の変化であっても、連続的な滑らかな変化であってもよい。
【００３４】
上記配置パターンに外接する円の直径に限定はないが、１８０ｍｍ〜３００ｍｍ程度であってよい。特に、従来公知の吹出孔の配置領域は、直径１００ｍｍ〜２２５ｍｍ程度であったのに対して、本発明では、大流量を確保しながらも気流の到達高さ・周囲への広がりを抑制し得るので、従来よりも大きな直径とすることが可能である。この点では、２１０ｍｍ〜３００ｍｍ程度において、本発明の作用効果がより顕著となる。
当該吹出口具全体の外径は、上記のような配置パターンを包含し得るものであれば限定されないが、円板状とするならば、配置パターンに外接する円の直径に１０ｍｍ程度を加えた値、即ち、円板外径１９０ｍｍ〜３１０ｍｍ程度が好ましい寸法である。
【００３５】
板状部と吹出孔の構造は、単一の板に貫通孔を設けた単純な構造であってもよいが、上記特許文献１に記載された構造が好ましい。即ち、図８（ａ）に示すように、通気管２１の両端の開口を一対の円盤状プレート２２、２３によって挟み込み、通気管２１と各プレート２２、２３との接続部分を開口することにって、吹出口２４が吹出口具２０を貫通する構造である。なお、プレート２２、２３の材料は、机、電算機などの各種機器や人間が乗るので、それらの重量に耐える材料であることが好ましく、例えばポリカーボネイト等の硬質プラスチックやアルミ、ステンレス、鉄等の金属材料などが例示される。
【００３６】
当該吹出口具が床下に落下しないように開口に嵌め込むための構造としては、図１に示すように、床の開口側に段差を設けてもよいし、図８（ｂ）に示すように、当該吹出口具Ａにツバｆを設けてもよい。
【００３７】
床吹出空調の特徴を生かすためには、二重床を用い、二重床下を加圧して室内との差圧で室内に調整空気を供給する加圧式の構成が好ましい。
加圧式では、吹出口から給気される調整空気は、二重床下圧力が高いと、その給気角度が多少低くても必要となる床面から１７０ｃｍを超える高さまで到達させることは可能である。しかし、床下圧力を２０Ｐａ程度以上に計画すると、二重床の隙間を漏気する調整空気が非常に多くなり居住域の垂直温度勾配を悪化させることになる。
しかも、二重床面はカーペット類相互の隙間があったり、電線類が貫通する場合も多く最低限の漏気もあるので、二重床下を加圧する必要圧力は、可能な限り低くすることが望ましい。
従って、必要圧力は、約１５Ｐａ程度以下が望ましく、このような圧力でも床吹出し口からの冷風吹出し空気が必要な高さまで到達させるには、天井高さが２５０〜３００ｃｍの場合に居住域空調高さを１７０ｃｍとして、吹出口具の直径が２１〜３０ｃｍの場合（吹出口具サイズと吹出し角度には相互関係がある）に、放射状吹出口の外周部寄りの半分以上の長さの部分については吹出し角度を１５〜２１度とし、中央部寄りの半分以下の長さ部分については吹出し角度を１８〜３０度とすることが好ましい。
すなわち、外周部で１５〜２１度、中央部で１８〜３０度なるように設定することが好ましい。
【００３８】
当該吹出口具を用いた床吹出し空調システムの構成例としては、上記特許文献２に示すように、空調機からの供給空気を床下スペースから自然流によって吹出口具に導く構成が挙げられる。同文献では、吹出口具を床の開口部内周に設けた段部を利用して嵌め込む構成とし、必要に応じて床板に固定具等にて固定している。また、吹出口具の下面にバスケットを固定し、該バスケットの外周側壁に上下方向のスリットなどの開口を形成している。このバスケットによって、床下を流れてくる横風の調整空気は、整流されて吹出孔へ導かれる。
【００３９】
供給空気（空調装置本体から送られてきた空気）は、床下スペ−スからバスケットのスリットまたはおよび開口、そして吹出口具の吹出孔を通過して室内に達する。これにより、供給空気は吹出孔から床板に対して斜め方向に放射状に吹出される。放出された供給空気は居給域空気を誘引攪拌しながら、渦巻き状の乱気流となって上昇する。この乱気流領域で供給空気と居住域空気とが十分に混合される。冷房時には吹出孔から給気された冷風は、居住域空気を誘引攪拌しながら、床面からの空調域高さが１７０ｃｍなどとなる高さまで立ち上がり、上下温度差が少なく、吹出口具周囲の作業スペースに気流感による不快感を最小とした居住域空調が行われる。
このとき、床面からの要求空調域高さ（例えば１７０ｃｍなど）に応じて放射状に配設された吹出孔の中央部の吹出し角度を外周部より大きな角度とすることによって安定した空調域高さを得ることができる。
【００４０】
なお、一般に日本におけるオフィスの調整空気循環量は、２０〜３０［ＣＭＨ／ｍ２］であることが多く、オフィスのワークスペースでの在室人員が一人当たり５ｍ２程度であることから、吹出口具を各人に１つ配置すると考えると、１つあたりの空気吹出し量は１００〜１５０［ＣＭＨ／ｍ２］程度となる。しかし、床吹出し空調は必ずしもパーソナル空調ではないので、経済性をも考慮して３名で２つ設けるとすると、１つ当たりの空気吹出し量は１５０〜２２５［ＣＭＨ／ｍ２］程度となる。通路部分はパーソナル空調の必要がなく、ペリメータエリアは熱負荷量が大きい。ＯＡ機器などからの熱負荷による調整空気循環量は増える方向にある。経済性に配慮してより多量の調整空気を吹出せる吹出口具が望まれている。これらの状況や、床材としての強度（強度上から開口部の大きさは限定される）や、吹出口具直上の気流速度（足元の気流感）をも考慮すると、２２５〜２５０［ＣＭＨ／ｍ２］程度の調整空気量を吹出すように形成された吹出孔の配置パターンの外接円直径は、２１０ｍｍ〜２６０ｍｍが好ましく、このような配置パターンを含む吹出口具の直径は、２２０ｍｍ〜２７０ｍｍ程度が好ましい値になる。
【００４１】
吹出口具から空気を吹出すための手段は公知の床吹出し空調技術を参照してよく、例えば、上記バスケットにファンを組込んだ構造、床下内に小型ファンを設けてファンとバスケットに至るダクトを接続した構造、空調機からバスケットにいたるダクトを接続した構造など、空調機からの供給空気を強制的に吹出口具に送るものであってもよい。
【００４２】
本発明の吹出口具は、床吹出方式の空調に用いられるもので、室内の大きさ、室内の人数、室内に設置した機器の種類等に応じて、当該吹出口具の大きさの変更、設置位置の移動、設置個数の増減を行うことができる。
床吹出し空調は、吹出口具を配した床板の移動、目的形状の吹出口具を有する床板との置換による吹出口具の大きさの変更、吹出口具を有する床板と有しない床板との置換による設置個数の増減等、上記変更のための施工が容易であり、オフィスのレイアウト変更対応として優れた特長を有する空調方式である。
【００４３】
吹出す調整空気の温度は、室内の熱負荷状態に応じて変化させてればよい。吹出し温度差に応じて吹出し気流速度を（加圧圧力）制御してもよく、あるいは、吹出し気流速度を変えずに、中央部の吹出し傾斜角度を制御する構成としてもよい。
【実施例】
【００４４】
本実施例では、本発明による吹出口具を実際に製作し、居住域空調がどうのように改善されるかについての実験を行った。
製作した本発明の吹出口具（本実施例品）は、図２（ａ）に示すように、長短の長穴を放射状に配置し、旋回流を発生させかつ、本発明の作用効果を示すように、外側吹出し角度θ１＝１８度、内側吹出し角度θ２＝２０度としたものであって、配置パターン全体の外接円の直径は２２０ｍｍ、円板の直径は２３０ｍｍである。
比較のための従来品（比較例品１）としては、上記特許文献１に記載された吹出口具（吹出孔の配置パターンの外接円直径１９０ｍｍ、円板直径２００ｍｍ、吹出し角度を全て１８度均一としたもの：以下、ＯＲＨとも略す）を用いた。
また、従来品であるＯＲＨの他に、吹出孔の配置パターンの外接円直径を従来よりも大口径化し（外接円の直径は２２０ｍｍ、円板の直径は２３０ｍｍ）、吹出し角度を１８度均一としたもの（比較例品２）、１９度均一としたもの（比較例品３）、２０度均一としたもの（比較例品４）を作成した。
【００４５】
図９は、空調実験の結果を示したグラフであって、製作した本実施例品、比較例品の吹出口具を用いた場合の、居住域高さである床上１７０ｃｍにおける床吹出口より吹出された空気の風速（残気流速度）と、吹出口中心からの距離との関係を示している。
図９のグラフから、本空調方式で良好な居住域空調を行える比較例品１（＝ＯＲＨ）の残気流速度と比べると、比較例品２（＝１８度）は強すぎ、比較例品４（＝２０度）では弱すぎ、本実施例品および比較例品３（＝１９度）が最適な残気流速度となっていることがわかる。
【００４６】
図１０のグラフは、吹出口具が設けられている位置から７０ｃｍ離れた位置（本空調方式で想定するワーカー（人）が座る最小離隔距離）における残留気流速度を示している。本実施例品は、約０．２ｍ／ｓとなっており、比較例品１（ＯＲＨ）および比較例品３をも下回り、非常に良好な状態にあることがわかった。
以上のように、図９のグラフに示された居住域高さにおける残気流速度と、図１０のグラフに示された水平方向への気流の広がりとを総合して評価すると、本実施例品が最適な気流特性を有していることがわかった。
【産業上の利用可能性】
【００４７】
本発明の吹出口具によって、１つ当りの吹出口からの空気の流量を従来よりも大きく確保しながら、床吹出口から吹出した空気が周囲の人に当たらないように配慮しながら、上方への吹出し高さを抑制することができ、上下の温度差を小さくした好ましい居住域空調を達成できるようになった。
【図面の簡単な説明】
【００４８】
【図１】本発明による吹出口具の構成を示す断面図であって、当該吹出口具が床の開口に装着された状態を示している。
【図２】本発明による吹出口具の板状部をみた時の、吹出孔の配置パターンを例示する図である。
【図３】本発明による吹出口具の板状部をみた時の、吹出孔の配置パターンを例示する図である。
【図４】本発明の吹出口具において、旋回流を形成するための角度θ１、θ２を説明する図である。
【図５】本発明の吹出口具において、吹出孔の内部の形状を例示する断面図である。
【図６】本発明の吹出口具において、吹出孔の外部（床下側）にガイドベーンを別途設ける構造を示す図である。
【図７】本発明の吹出口具において、吹出孔を中央部から外側部まで延びる長穴とする場合に、中央部と外周側とで吹出し角度を変える構造の一例を示す斜視図である。
【図８】板状部と吹出孔の構造の一例を示す図である。
【図９】本実施例品、比較例品の吹出口具を用いた場合の、居住域高さにおける残気流速度と、吹出口中心からの距離との関係を示すグラフである。
【図１０】吹出口具が設けられている位置から７０ｃｍ離れた位置における残気流速度を示すグラフである。
【符号の説明】
【００４９】
Ａ    吹出口具
１    板状部の板面
２    外側の吹出孔
３    中央側の吹出孔
ｅ１  外側気流
ｅ２  内側気流
【図１】
2005114211.tif 000003
【図２】
2005114211.tif 000004
【図３】
2005114211.tif 000005
【図４】
2005114211.tif 000006
【図５】
2005114211.tif 000007
【図６】
2005114211.tif 000008
【図７】
2005114211.tif 000009
【図８】
2005114211.tif 000010
【図９】
2005114211.tif 000011
【図１０】
2005114211.tif 000012